【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
絶縁物で被覆された円筒状の内部導体を備えた第１の電線と、
絶縁物で被覆された内部導体を備えた第２の電線と
を有し、
前記第１の電線の電磁界結合部と前記第２の電線の電磁界結合部が近接配置されて、電磁界結合により前記第１の電線と前記第２の電線との間でデータ接続を行い、
前記第２の電線は、前記電磁界結合部において、前記内部導体が前記絶縁物に被覆されていない電磁界結合電極を有し、
前記電磁界結合電極は前記第１の電線の内部導体の周囲を見込み角で９０°以上囲っていることを特徴とする被覆電線結合式情報通信網。
【請求項２】
前記電磁界結合電極は、前記第１の電線を被覆する絶縁物の外周を覆うように、前記外周に直接接していることを特徴とする請求項１に記載の被覆電線結合式情報通信網。
【請求項３】
前記電磁界結合電極は、前記第１の電線を挿通する円筒状貫通孔を備えた結合器の前記円筒状貫通孔の内壁に設けられた導体層により構成されることを特徴とする請求項１に記載の被覆電線結合式情報通信網。
【請求項４】
前記第２の電線の電磁界結合電極が整合終端していることを特徴とする請求項１乃至請求項３のいずれか１項に記載の被覆電線結合式情報通信網。
【請求項５】
前記第２の電線の電磁界結合電極が開放終端していることを特徴とする請求項１乃至請求３のいずれか１項に記載の被覆電線結合式情報通信網。
【請求項６】
前記第１の電線は該第１の電線と差動対を形成する前記第１の電線と同じ構造の第３の電線を有するとともに、前記第２の電線は該第２の電線と差動対を形成する前記第２の電線と同じ構造の第４の電線を有し、
前記第３の電線と前記第４の電線が前記電磁界結合部と平行に位置する第２の電磁界結合部において電磁界結合していることを特徴とする請求項１乃至請求項３のいずれか１項に記載の被覆電線結合式情報通信網。
【請求項７】
前記第２の電線の電磁界結合電極と前記第４の電線の電磁界結合電極が整合終端していることを特徴とする請求項６に記載の被覆電線結合式情報通信網。
【請求項８】
前記第２の電線の電磁界結合電極と前記第４の電線の電磁界結合電極が、平行に配列する配列方向の同じ側で整合終端していることを特徴とする請求項７に記載の被覆電線結合式情報通信網。
【請求項９】
前記第２の電線の電磁界結合電極と前記第４の電線の電磁界結合電極が、平行に配列する配列方向の互いに反対側で整合終端していることを特徴とする請求項７に記載の被覆電線結合式情報通信網。
【請求項１０】
前記第１の電線及び前記第３の電線をそれぞれ挿通する一対の平行な円筒状貫通孔と、  前記一対の円筒状貫通孔の内壁に設けられた導体層からなる一対の電磁界結合電極を備えた結合器に、前記一対の電磁界結合電極の一端を接続する導電体を形成して前記整合終端するための終端抵抗としたことを特徴とする請求項７乃至請求項９のいずれか１項に記載の被覆電線結合式情報通信網。
【請求項１１】
前記一対の電磁界結合電極の両端にそれぞれ送受信器を接続し、伝搬方向の下流側に接続された前記送受信器に設けられている抵抗を前記終端抵抗としたことを特徴とする請求項７乃至請求項９のいずれか１項に記載の被覆電線結合式情報通信網。
【請求項１２】
前記第２の電線の電磁界結合電極と前記第４の電線の電磁界結合電極が開放終端していることを特徴とする請求項６に記載の被覆電線結合式情報通信網。
【請求項１３】
前記第２の電線の電磁界結合電極と前記第４の電線の電磁界結合電極が、平行に配列する配列方向の同じ側で開放終端していることを特徴とする請求項１２に記載の被覆電線結合式情報通信網。
【請求項１４】
前記第２の電線の電磁界結合電極と前記第４の電線の電磁界結合電極が、平行に配列する配列方向の互いに反対側で開放終端していることを特徴とする請求項１２に記載の被覆電線結合式情報通信網。
【請求項１５】
前記第２の電線の電磁界結合電極と前記第４の電線の電磁界結合電極が抵抗を介さずに連結していることを特徴とする請求項６に記載の被覆電線結合式情報通信網。
【請求項１６】
前記第２の電線の電磁界結合電極と前記第４の電線の電磁界結合電極が、平行に配列する配列方向の同じ側で連結していることを特徴とする請求項１５に記載の被覆電線結合式情報通信網。
【請求項１７】
前記第２の電線の電磁界結合電極と前記第４の電線の電磁界結合電極が、平行に配列する配列方向の互いに反対側で結合していることを特徴とする請求項１５に記載の被覆電線結合式情報通信網。
【請求項１８】
前記第１の電線及び前記第３の電線をそれぞれ挿通する一対の平行な円筒状貫通孔と、  前記一対の円筒状貫通孔の内壁に設けられた導体層からなる一対の電磁界結合電極を備えた結合器に、前記一対の電磁界結合電極の一端を接続する良導電体を形成して連結部としたことを特徴とする請求項１５乃至請求項１７のいずれか１項に記載の被覆電線結合式情報通信網。
【請求項１９】
前記電磁界結合部及び前記第２の電磁界結合部と異なる位置において、前記第１の電線と前記第３の電線からなる差動対に対して、第５の電線と第６の電線からなる差動対を電磁界結合させたことを特徴とする請求項６乃至請求項１８のいずれか１項に記載の被覆電線結合式情報通信網。
【請求項２０】
前記電磁界結合部及び前記第２の電磁界結合部と電磁界結合できる位置において、前記第１の電線と前記第３の電線からなる差動対に対して、第５の電線と第６の電線からなる差動対を電磁界結合させたことを特徴とする請求項６乃至請求項１８のいずれか１項に記載の被覆電線結合式情報通信網。
【請求項２１】
前記第２の電線及び前記第４の電線からなる差動対にデジタル信号を送信する送信手段を有するとともに、
前記第１の電線及び前記第３の電線からなる差動対に誘起されたパルス信号の極性を判定して前記デジタル信号を復号する復号化手段を有することを特徴とする請求項１９または請求項２０に記載の被覆電線結合式情報通信網。
【請求項２２】
前記第２の電線及び前記第４の電線からなる差動対にデジタル信号に応じた極性のパルス信号を送信する送信手段を有するとともに、
前記第１の電線及び前記第３の電線からなる差動対に誘起された双極パルス信号の極性を判定して前記デジタル信号を復号する復号化手段を有することを特徴とする請求項１９または請求項２０に記載の被覆電線結合式情報通信網。
【請求項２３】
前記第１の電線及び前記第３の電線からなる差動対に電磁界結合している差動対にテスト信号を送信するテスト信号送信手段を有するとともに、
前記第１の電線及び前記第３の電線からなる差動対に電磁界結合している他の差動対で受信した信号極性を正規の極性に戻す極性調整手段を有することを特徴とする請求項１９または請求項２０に記載の被覆電線結合式情報通信網。
【請求項２４】
絶縁物で被覆された円筒状の内部導体を備えた第１の電線を挿通する第１の円筒状貫通孔と、
前記第１の円筒状貫通孔の内壁に設けられた導電層からなり絶縁物で被覆された内部導体を備えた第２の電線の前記内部導体と接続される第１の電磁界結合電極と
を有することを特徴とする電磁界結合器。
【請求項２５】
前記第１の電線と差動対を形成する前記第１の電線と同じ構造の第３の電線を挿通する第２の円筒状貫通孔を有するとともに、
前記第２の円筒状貫通孔の内壁に設けられた導電層からなり前記第２の電線と差動対を形成する前記第２の電線と同じ構造の第４の電線の前記内部導体と接続される第２の電磁界結合電極を有することを特徴とする請求項２４に記載の電磁界結合器。
【請求項２６】
前記第１の電磁界結合電極と前記第２の電磁界結合電極の一端が、終端抵抗によって終端接続されていることを特徴とする請求項２５に記載の電磁界結合器。
【請求項２７】
前記終端抵抗が、前記第１の電磁界結合電極と前記第２の電磁界結合電極の延在方向の同じ側で前記第１の電磁界結合電極と前記第２の電磁界結合電極に接続されていることを特徴とする請求項２６に記載の電磁界結合器。
【請求項２８】
前記終端抵抗が、前記第１の電磁界結合電極と前記第２の電磁界結合電極の延在方向の互いに反対側で前記第１の電磁界結合電極と前記第２の電磁界結合電極に接続されていることを特徴とする請求項２６に記載の電磁界結合器。
【請求項２９】
前記第１の電磁界結合電極が前記第１の円筒状貫通孔の内部の前記第１の円筒状貫通孔の延在方向の一方の側に設けられ、且つ、前記第２の電磁界結合電極が前記第２の円筒状貫通孔の内部の前記第１の電磁界結合電極から離れる側に設けられることを特徴とする請求項２８に記載の電磁界結合器。
【請求項３０】
前記第１の電磁界結合電極と前記第２の電磁界結合電極の一端が、良導電体により連結していることを特徴とする請求項２５に記載の電磁界結合器。
【請求項３１】
前記良導電体が、前記第１の電磁界結合電極と前記第２の電磁界結合電極の延在方向の同じ側で前記第１の電磁界結合電極と前記第２の電磁界結合電極に接続されていることを特徴とする請求項３０に記載の電磁界結合器。
【請求項３２】
前記良導電体が、前記第１の電磁界結合電極と前記第２の電磁界結合電極の延在方向の互いに反対側で前記第１の電磁界結合電極と前記第２の電磁界結合電極に接続されていることを特徴とする請求項３０に記載の電磁界結合器。
【請求項３３】
前記第１の電磁界結合電極が前記第１の円筒状貫通孔の内部の前記第１の円筒状貫通孔の延在方向の一方の側に設けられ、且つ、前記第２の電磁界結合電極が前記第２の円筒状貫通孔の内部の前記第１の電磁界結合電極から離れる側に設けられることを特徴とする請求項３２に記載の電磁界結合器。
【請求項３４】
前記第１の電磁界結合電極と前記第２の電磁界結合電極の一端が、開放終端していることを特徴とする請求項２５に記載の電磁界結合器。
【請求項３５】
前記第１の電磁界結合電極と前記第２の電線の内部導体の接続箇所と、前記第２の電磁界結合電極と前記第４の電線の内部導体の接続箇所が、前記第１の電磁界結合電極と前記第２の電磁界結合電極の延在方向の同じ側であることを特徴とする請求項３４に記載の電磁界結合器。
【請求項３６】
前記第１の電磁界結合電極と前記第２の電線の内部導体の接続箇所と、前記第２の電磁界結合電極と前記第４の電線の内部導体の接続箇所が、前記第１の電磁界結合電極と前記第２の電磁界結合電極の延在方向に対して互いに反対側であることを特徴とする請求項３５に記載の電磁界結合器。